(57)【要約】【課題】汚れた洗濯物から発生する悪臭を抑制しながら保管・搬送でき、かつ洗濯した洗濯物を清潔に保管・輸送できる、利便性のよいランドリーバッグを提供することを目的とする。【解決手段】２連袋からなるランドリーバッグであり、各々の取り出し口がバッグの上部と下部に位置しており、表裏異なる色彩の帯状の取っ手が付与されたことを特徴とするランドリーバッグである。さらに２連袋の少なくとも一方の袋部が底辺を残して開口でき、平面状に広げることができ、袋を構成する生地の一部または全部に、消臭機能および／または抗菌機能を有する生地を使用しており、袋内部にポケットを有することを特徴とする、ランドリーバッグである。【選択図】図４
0003215273.tif 000002
【実用新案登録請求の範囲】
【請求項１】
２連袋からなるランドリーバッグであり、片方が洗濯前の洗濯物専用とし、もう片方が洗濯後の洗濯物専用とするランドリーバッグ。
【請求項２】
２連袋において、各々の取り出し口がバッグの上部と下部に位置しており、表裏異なる色彩の帯状の取っ手が付与された、請求項１に記載のランドリーバッグ。
【請求項３】
２連袋の少なくとも一方の袋部が底辺を残して開口でき、平面状に広げることができる、請求項１または請求項２に記載のランドリーバッグ。
【請求項４】
袋を構成する生地の一部または全部に、消臭機能および／または抗菌機能を有する生地を使用した、請求項１〜請求項３のいずれか一項に記載のランドリーバッグ。
【請求項５】
袋内部にポケットを有する、請求項１〜請求項４のいずれか一項に記載のランドリーバッグ。
【考案の詳細な説明】
【技術分野】
【０００１】
本考案は、洗濯後の洗濯物を清潔に収納でき、さらに洗濯前の汚れた洗濯物を臭気の発生を抑えて収納できる２連ランドリーバッグに関するものである。
【背景技術】
【０００２】
汚れた洗濯物を収納、運搬するためのランドリーバッグが、種々提案されている。例えばランドリーバッグ中に洗濯ネットを設置しておき、洗濯時には洗濯ネットごと取り出して洗濯機に投入できるようにし、さらに収納部分の内側に消臭・抗菌性能を有する生地を配置して、皮脂や汗が付着した洗濯物から、洗濯に供されるまでの収納時間中に雑菌の繁殖による臭気が発生しにくくする工夫を施したもの（特許文献１）や、ランドリーバッグ中に複数の洗濯ネットを設置しておき、洗濯物を分別して収納し、分別ごと洗濯ネットごと洗濯できるもの（特許文献２）が提案されている。このように汚れた洗濯物を収納する種々の工夫がある一方、洗濯後の洗濯物については、洗濯してきれいになったにもかかわらず、汚れた洗濯物を収納していたランドリーバッグに再び収納、運搬するケースが多く、清潔感が損なわれる懸念があった。
【先行技術文献】
【特許文献】
【０００３】
【特許文献１】実用新案登録第３２０８８８９号公報
【特許文献２】特開平８−３８７８６号公報
【考案の概要】
【考案が解決しようとする課題】
【０００４】
本考案は、洗濯後のきれいな洗濯物を清潔に収納・保管でき、かつ洗濯前の汚れた洗濯物を収納時に発生する臭気を抑えることのできる利便性のよいランドリーバッグを提供することを目的とする。
【課題を解決するための手段】
【０００５】
上記目的を達成するために、洗濯物を収納するランドリーバッグにおいて、２連袋からなるランドリーバッグであり、洗濯前の洗濯物と洗濯後の洗濯物を別々に収納できるものを提案する。各々の収納袋の取り出し口は、ともにバッグの上部にあってもよいし、バッグの上部と下部に位置していてもよい。
【０００６】
各々の取り出し口がバッグの上部と下部に位置している場合、表裏異なる色彩の帯状の取っ手が付与されたランドリーバッグであり、２連袋の少なくとも一方の袋部が底辺を残して開口でき、平面状に広げることができるランドリーバッグを提案するものである。さらに、袋を構成する生地の一部または全部に、消臭機能および／または抗菌機能を有する生地を使用し、さらに袋内部にポケットを有するランドリーバッグを提案するものである。
【考案の効果】
【０００７】
２つの袋は２連となっており、接する部分は共通する生地またはシートであってもよい。また取り出し口は、例えばスライドファスナーのような簡易的に開閉できる仕様とすることができる（図１、図２）。
【０００８】
２連の袋は、片方を洗濯前の洗濯物専用とし、もう片方を洗濯後の洗濯物専用とすることが重要であり、このようにすることで、洗濯後にきれいになった洗濯物を清潔に収納することができる。各々の袋を区分するために、各々の袋の色やスライドファスナーのような簡易開閉装置の色を変えることもできる。
【０００９】
さらに、２つの袋の取り出し口はランドリーバッグの上下に位置させることもできる。この場合、ランドリーバッグの表面に表と裏とで異なる色の帯状の取っ手（図３）がついている。これにより、汚れた洗濯物の取り出し口が上に位置した状態で取っ手を持って運搬する際の取っ手の見かけの色と、これを上下逆さまにして洗濯した洗濯物の取り出し口が上部に位置した状態で取っ手を持って運搬する際の取っ手の見かけの色とが異なり、どちらの袋の取り出し口が上にあるどうかを識別することができる。これにより、片方が洗濯前の汚れた洗濯物向けの収納袋とし、もう片方が洗濯後のきれいな洗濯物向けの収納袋として明確に区分して使用でき、別々の収納とすることで洗濯後のきれいな洗濯物の清潔感を保つことができる（図５）。
【００１０】
さらに、少なくとも収納する袋の一つが、底辺を残して３方を開口でき、平面状態に広げることができる。これにより、例えば洗濯後の洗濯物をたたんだ状態で容易に収納することができる（図２、図４、図６）。
【００１１】
さらに、収納袋を構成する生地の内側の少なくとも一部または全部に、消臭および／または抗菌性能を有する生地を配置することができる。これにより、洗濯に供されるまでの収納時間中の雑菌の繁殖を抑制し、かつ消臭することができ、洗濯物を収納している間や洗濯時に内袋を取り出す際に、洗濯物から発生した臭気で不快感を覚えることなく、洗濯を行うことができる。消臭および／または抗菌性能を有する生地の種類は特に限定されないが、例えば銀系の抗菌剤を練り込んだポリプロピレン製のスパンボンド不織布にて、ＪＩＳＬ１９０２菌液吸収法での試験方法にて、黄色ブドウ球菌の抗菌活性値２．２以上を示すものを、抗菌性能を有する生地として用いることもできる。また、例えば両性物質を含む消臭剤を練り込んだポリプロピレン製のスパンボンド不織布にて、繊維評価技術協議会の定める消臭試験方法のガスクロマトグラフ法でアンモニア・酢酸・硫化水素につき有効と認定されるものを、消臭性能を有する生地として用いることもできる。
【００１２】
さらに、収納する袋の内側にポケットを有することもできる。これにより、ハンカチや靴下などの小物を収納できる。
【図面の簡単な説明】
【００１３】
【図１】洗濯前用の収納袋の取り出し口と、洗濯後用の収納袋の取り出し口が両方とも上部にあるランドリーバッグ
【図２】洗濯前用の収納袋の取り出し口と、洗濯後用の収納袋の取り出し口が両方とも上部にあるランドリーバッグで、洗濯後用の収納袋が３方を開けて開口できるもの
【図３】表と裏で色の異なる帯状の取っ手
【図４】洗濯前用の収納袋の取り出し口と、洗濯後用の収納袋の取り出し口が、上下逆に配置されたランドリーバッグで、洗濯後用の収納袋が３方を開けて開口できるもの
【図５】洗濯前用の収納袋の取り出し口と、洗濯後用の収納袋の取り出し口が、上下逆に配置されたランドリーバッグで、洗濯後用の収納袋が３方を開けて開口できるものにおいて、上下を反転した際に取っ手の見かけの色が変化することを示す図
【図６】洗濯後用の収納袋が３方を開けて開口できるランドリーバッグにおいて、開口状態を示す図
【符号の説明】
【００１４】
（ａ）洗濯前用の収納袋
（ｂ）洗濯後用の収納袋
（ｃ）取っ手
（ｄ）スライドファスナー
（ｅ）ポケット
【図１】
0003215273.tif 000003
【図２】
0003215273.tif 000004
【図３】
0003215273.tif 000005
【図４】
0003215273.tif 000006
【図５】
0003215273.tif 000007
【図６】
0003215273.tif 000008